(57)【特許請求の範囲】
【請求項１】
結合機構を介して複数のユーザデバイスに結合されたオペレーションセンターのタグ付けシステムにおいてタグ関連の処理を実行する方法であって、
前記タグ付けシステムの概念作成／編集（ＣＣＥ）モジュールが、関連タグの定義を受信するステップであって、前記関連タグは、基本アイテムを定義された関係に従って少なくとも１つの他のアイテムと関係付けることと、
前記ＣＣＥモジュールが、前記基本アイテムに関係するメタデータを提供する前記関連タグを、タグ関連のストアに格納するステップと、
前記ＣＣＥモジュールが、相互に接続されたアイテムのグラフを確立するために、複数の異なる基本アイテムに関して、前記受信するステップと前記格納するステップとを繰り返すステップと、
前記タグ付けシステムの概念分析モジュールが、前記相互に接続されたアイテムのグラフに対して比較分析を実行するステップであって、前記比較分析は、複数の関連タグを分析して、前記相互に接続されたアイテムのグラフの中の前記アイテムを格付けして、前記グラフの中で最上位に格付けされたアイテムまたは最下位に格付けされたアイテムの表示を提供することと、
前記概念分析モジュールが、ユーザの共同タグ付けの振る舞いを分析して、前記最上位に格付けされたアイテムまたは前記最下位に格付けされたアイテムの前記表示に関連付けられた信頼レベルを形成するステップと
を備えたことを特徴とする方法。
【請求項２】
前記基本アイテムは、ユーザが獲得することができるアイテムに関係することを特徴とする請求項１に記載の方法。
【請求項３】
前記定義された関係は、前記基本アイテムを、識別されたコンテキスト内で前記少なくとも１つの他のアイテムに関して格付けすることを特徴とする請求項１に記載の方法。
【請求項４】
前記関係は、前記基本アイテムが前記少なくとも１つの他のアイテムの代用品または付属品であることを示すことを特徴とする請求項１に記載の方法。
【請求項５】
前記関連タグによって表現される関係のタイプの定義は、
前記基本アイテムが前記少なくとも１つの他のアイテムの付属品であることを表す付属品タイプ、
前記基本アイテムが前記少なくとも１つの他のアイテムと同じであることを表す同一タイプ、
前記基本アイテムが前記少なくとも１つの他のアイテムと同様であることを表す同様タイプ、
前記基本アイテムが前記少なくとも１つの他のアイテムを含むことを表す包含タイプ、
前記基本アイテムが前記少なくとも１つの他のアイテムの一部であることを表す部分タイプ、
前記基本アイテムが前記少なくとも１つの他のアイテムを生じさせることを表す要因タイプ、
前記基本アイテムが前記少なくとも１つの他のアイテムの反対であることを表す反対タイプ、
前記基本アイテムが前記少なくとも１つの他のアイテムの総称的な表現であることを表す総称タイプ、
前記基本アイテムが前記少なくとも１つの他のアイテムの一種であることを表す一種タイプ、
前記基本アイテムが前記少なくとも１つの他のアイテムの代用品であることを表す代用品タイプ、
前記基本アイテムが識別されたコンテキスト内で前記少なくとも１つの他のアイテムに対してどのように格付けされるかを表す格付けタイプ、
前記基本アイテムが前記少なくとも１つの他のアイテムより優れた品質であることを表す品質タイプ、
前記基本アイテムが前記少なくとも１つの他のアイテムより安価であることを表すコストタイプ、
前記基本アイテムが前記少なくとも１つの他のアイテムより新しいことを表すトレンドタイプ、
前記基本アイテムが前記少なくとも１つの他のアイテムより優れていることを表すより優れたタイプ、
前記基本アイテムが前記少なくとも１つの他のアイテムより劣ることを表すより劣るタイプ、
前記基本アイテムが前記少なくとも１つの他のアイテムより大きいことを表すより大きいタイプ、
前記基本アイテムが前記少なくとも１つの他のアイテムより小さいことを表すより小さいタイプ、
前記基本アイテムが前記少なくとも１つの他のアイテムと概ね同じであることを表す類似タイプ、および
前記基本アイテムが、ユーザによって生成された、前記少なくとも１つの他のアイテムとの関係のタイプを有することを表すユーザ生成タイプ
からなるグループから選択されることを特徴とする請求項１に記載の方法。
【請求項６】
前記関連タグは、
前記関連タグによって表現される関係のタイプを識別する名前タグと、
前記少なくとも１つの他のアイテムを表現する値タグと
を含むことを特徴とする請求項１に記載の方法。
【請求項７】
前記関連タグは、前記基本アイテムのカテゴリーを識別する少なくとも１つのカテゴリータグも格納するデータ構造に格納されることを特徴とする請求項１に記載の方法。
【請求項８】
前記グラフの中の少なくとも２つのアイテムは、直接的に関係付けられることを特徴とする請求項１に記載の方法。
【請求項９】
前記グラフの中の少なくとも２つのアイテムは、アイテムの連鎖を通して間接的に関係付けられることを特徴とする請求項１に記載の方法。
【請求項１０】
各カテゴリータグが関連するアイテムのカテゴリーを識別する、カテゴリータグでアイテムにタグ付けするステップをさらに含むことを特徴とする請求項１に記載の方法。
【請求項１１】
前記比較分析は、選択されたカテゴリー内でアイテムの順序付けされたリストを、前記選択されたカテゴリーに関連付けられたカテゴリータグに関して選別することによって提供することを含むことを特徴とする請求項１０に記載の方法。
【請求項１２】
結合機構を介して複数のユーザデバイスに結合されたオペレーションセンターのタグ付けシステムにおいてタグ関連の処理を実行する方法であって、
前記タグ付けシステムの概念分析モジュールが、個々のアイテムに注釈を付ける関連タグのストアにアクセスするステップであって、各関連タグは、基本アイテムを定義された関係に従って少なくとも１つの他のアイテムと関係付けることと、
前記概念分析モジュールが、出力結果を提供するために、前記ストア内の前記関連タグに対して比較分析を実行するステップとを備え、
各関連タグによって表現される関係のタイプの定義は、
前記基本アイテムが前記少なくとも１つの他のアイテムの付属品であることを表す付属品タイプ、
前記基本アイテムが前記少なくとも１つの他のアイテムと同じであることを表す同一タイプ、
前記基本アイテムが前記少なくとも１つの他のアイテムと同様であることを表す同様タイプ、
前記基本アイテムが前記少なくとも１つの他のアイテムを含むことを表す包含タイプ、
前記基本アイテムが前記少なくとも１つの他のアイテムの一部であることを表す部分タイプ、
前記基本アイテムが前記少なくとも１つの他のアイテムを生じさせることを表す要因タイプ、
前記基本アイテムが前記少なくとも１つの他のアイテムの反対であることを表す反対タイプ、
前記基本アイテムが前記少なくとも１つの他のアイテムの総称的な表現であることを表す総称タイプ、
前記基本アイテムが前記少なくとも１つの他のアイテムの一種であることを表す一種タイプ、
前記基本アイテムが前記少なくとも１つの他のアイテムの代用品であることを表す代用品タイプ、
前記基本アイテムが識別されたコンテキスト内で前記少なくとも１つの他のアイテムに対してどのように格付けされるかを表す格付けタイプ、
前記基本アイテムが前記少なくとも１つの他のアイテムより優れた品質であることを表す品質タイプ、
前記基本アイテムが前記少なくとも１つの他のアイテムより安価であることを表すコストタイプ、
前記基本アイテムが前記少なくとも１つの他のアイテムより新しいことを表すトレンドタイプ、
前記基本アイテムが前記少なくとも１つの他のアイテムより優れていることを表すより優れたタイプ、
前記基本アイテムが前記少なくとも１つの他のアイテムより劣ることを表すより劣るタイプ、
前記基本アイテムが前記少なくとも１つの他のアイテムより大きいことを表すより大きいタイプ、
前記基本アイテムが前記少なくとも１つの他のアイテムより小さいことを表すより小さいタイプ、
前記基本アイテムが前記少なくとも１つの他のアイテムと概ね同じであることを表す類似タイプ、および
前記基本アイテムが、ユーザによって生成された、前記少なくとも１つの他のアイテムとの関係のタイプを有することを表すユーザ生成タイプ
からなるグループから選択されることを特徴とする方法。
【請求項１３】
前記ストア内の少なくとも１つの関連タグは、前記基本アイテムを、識別されたコンテキスト内で前記少なくとも１つの他のアイテムに関して格付けする関係に基づいていることを特徴とする請求項１２に記載の方法。
【請求項１４】
前記比較分析は、前記アイテムを格付けして、最上位に格付けされたアイテムまたは最下位に格付けされたアイテムの表示を提供することを含むことを特徴とする請求項１２に記載の方法。
【発明の詳細な説明】
【技術分野】
【０００１】
本発明は、関連タグの作成および利用に関する。
【背景技術】
【０００２】
（参照による取込み）
本出願は、発明者Martin R.Frank、Walter M.Tseng、Charles E.Groom、およびFred F.Sadaghianiらによる２００６年３月３日に出願された「Collaborative Structured Tagging for Item Encyclopedias」という題名の米国特許出願第１１／２７６５３９号明細書（‘５３９出願）の同時係属出願である。‘５３９出願は、参照によりその全体が本明細書に取り込まれている。
【０００３】
タグとは、一般に、コンテンツアイテムの特徴を識別するメタデータを指す。一部の従来的なシステムにおいて、予め確立された参照システムが、タグの命名および適用を規定する。より最近には、複数のユーザが共同でユーザ独自のタグを定義して、いわゆるフォークソノミーを作成することを可能にするシステムが開発されている。ユーザが共同タグ付け環境（ｃｏｌｌａｂｏｒａｔｉｖｅ  ｔａｇｇｉｎｇ  ｅｎｖｉｒｏｎｍｅｎｔ）において対話することを可能にする、よく知られているサービスが、「ｄｅｌ．ｉｃｏｉ．ｕｓ」（Ｄｅｌｉｃｉｏｕｓ）である。
【０００４】
図１は、公知の共同タグ付け環境のいくつかの特徴を表す。このシステムにおいて、３名の代表的なユーザ（ユーザ１、ユーザ２、ユーザｎ）が、２つのウェブサイトを特徴付けるユーザ定義のタグを作成したと想定する。第１のウェブサイト１０２は、ＡＢＣ社によって製造される仮想のセダンＸ（Ｓｅｄａｎ−Ｘ）に関する情報を含む。第２のウェブサイト１０４は、ＬＭＮ社によって製造される仮想のＳｅｄａｎ−Ｙ（セダンＹ）に関する情報を含む。第１のユーザが、第１のウェブサイト１０２を特徴付けるタグ「セダンＸ」１０６、および第２のウェブサイト１０４を特徴付けるタグ「セダン（Ｓｅｄａｎ）」１０８を定義すると想定されたい。第２のユーザが、（第１のユーザと合意することにより）第１のウェブサイト１０２を特徴付けるタグ「セダンＸ」１１０、ならびに第２のウェブサイト１０４を特徴付けるタグ「中型（Ｍｉｄｓｉｚｅ）」１１２を定義する。第３のユーザが、第１のウェブサイト１０２を特徴付けるタグ「セダン」１１４、および第２のウェブサイト１０４を特徴付けるタグ「４．０リッター（４．０  Ｌｉｔｅｒ）」１１６を定義する。理解されるように、多数のさらなるユーザが、第１のウェブサイト１０２、および第２のウェブサイト１０４を記述するタグを作成することもできる。
【発明の開示】
【発明が解決しようとする課題】
【０００５】
タグ付けシステムは、アイテムを記述するのに使用される独創的なボキャブラリについてユーザに知らせることができる。タグ付けシステムは、一般的に使用されるタグについてユーザに通知することもできる。例えば、図１のタグ付けシステムは、複数のユーザがタグ「セダン」を適用して第１のウェブサイト１０２を特徴付けたことを、ユーザに知らせることができる。この意味で、ユーザが特定のアイテムに注釈を付けると、該ユーザは、該アイテムの特定の解釈に賛成しているとみなされる可能性がある。しかし、タグ付けシステムは、ユーザがタグ付けする振舞いについての「フラットな」履歴レコードを提供することを超えて、いかなる洞察を提供することはない。この理由のため、このタイプのタグコレクションから有意義な結論を引き出すことは困難である。
【０００６】
少なくとも前述の理由から、より十分なタグ付けシステムの必要性が存在する。
【課題を解決するための手段】
【０００７】
ユーザが関連タグ（ｒｅｌａｔｉｏｎａｌ  ｔａｇ）を定義することを可能にするシステムを説明する。関連タグは、第１のアイテムが第２のアイテムとどのように関連するかを明確に記述する。例えば、関連タグは、識別されたコンテキスト内で第１のアイテムが第２のアイテムより上に格付けされることを言明することができる。多くのユーザによって利用されると、該システムは、相互に接続されたアイテムのグラフを形成する。該システムは、このグラフ内で比較分析を実行することができる。例えば、関連タグに基づいて、該システムは、グラフ内で最上位の格付け（ｔｏｐ−ｒａｎｋｉｎｇ）を決定することができる。  
さらなる例示的な実装、および付随する利点を後述する。
【図面の簡単な説明】
【０００８】
【図１】公知のタイプの共同タグ付けシステムを示す図である。
【図２】各関連タグが、定義されたコンテキストにおいて基本アイテムを少なくとも１つの他のアイテムと関係付ける、関連タグの使用を用いる例示的なタグ付け方法の概略図である。
【図３】各関連タグが、定義されたコンテキストにおいて基本アイテムを少なくとも１つの他のアイテムと関係付ける、関連タグの使用を利用する例示的なタグ付け方法の概略図である。
【図４】図２および図３のタグ付け方法を採用する例示的なタグ付けシステムを示す図である。
【図５Ａ】ユーザが関連タグを作成することを可能にする、図４のシステムで使用するための機能を示す図である。
【図５Ｂ】ユーザが関連タグを作成することを可能にする、図４のシステムで使用するための機能を示す図である。
【図５Ｃ】ユーザが関連タグを作成することを可能にする、図４のシステムで使用するための機能を示す図である。
【図５Ｄ】ユーザが関連タグを作成することを可能にする、図４のシステムで使用するための機能を示す図である。
【図６】ユーザが関連タグのコレクションに基づいて比較分析を実行することを可能にする、図４のシステムで使用するための機能を示す図である。
【図７】図４のシステムの１つの例示的な実施形態に従って、１つまたは複数の関連タグを格納するのに使用することができる例示的なオブジェクトを示す図である。
【図８】アイテムマネージャおよびアイテムエンサイクロペディアを含む、図７に示されるタイプのオブジェクトを処理するように構成される１つの例示的なシステムを示す図である。
【図９】図８のアイテムエンサイクロペディアによって生成された例示的な項目ページを示す図である。
【図１０】図９に示される項目ページに関連付けられたタグを定義するための例示的な編集ページを示す図である。
【図１１】図４に示されるシステムの任意の態様を実装するための例示的な処理機能を示す図である。
【図１２】関連タグを定義するための例示的な手順を示す図である。
【図１３】図１２の手順を使用して作成された複数の関連タグに基づいて分析を実行するための例示的な手順を示す図である。
【発明を実施するための形態】
【０００９】
本開示および図面を通じて同じ参照番号を使用して、同様の構成要素および特徴を示す。１００番台の番号は最初に図１において見つかった特徴を示し、２００番台の番号は最初に図２において見つかった特徴を示し、３００番台の番号は最初に図３において見つかった特徴を指し、その他の番号も同様である。
【００１０】
本開示は、関連タグを作成するためのシステムを説明する。各関連タグは、総称的に「Ｘ」として表される或るアイテムが、総称的に「Ｙ」として表される少なくとも１つの他のアイテムとどのように関連するかを、コンテキスト「Ｃ」内の関係「Ｒ」に基づいて記述する。説明を容易にするために、用語「基本アイテム」は、アイテムＸを指すのに使用される。つまり、基本アイテムとは、タグ付けされているアイテムを指す。用語「他のアイテム」は、アイテムＹを示すのに使用される。つまり、他のアイテムとは、基本アイテムと比較されているアイテムを指す。或る関係において、ユーザは、基本アイテムＸを、アイテムＹより優れている、または劣っていると定義し、あるいは、より一般的には、アイテムＹより高く、または低く格付けされていると定義する。しかし、説明されるように、関係Ｒは、基本アイテムＸを他のアイテムＹと他の方法で結び付けることもできる。
【００１１】
本開示は、関連タグのコレクションに基づいて比較分析を実行するためのシステムも説明する。例えば、該システムは、推移分析を適用して、どのアイテムが最高と格付けされ、どのアイテムが最低と格付けされるかなどを決定することができる。
【００１２】
「アイテム」という用語は、任意の種類のオブジェクトを指す。一例では、アイテムは、メディアコンテンツ（本、曲など）、有形の物品（例えば、自動車、カメラなど）、サービス、任意の性質のダウンロード可能なデジタルコンテンツなどの、ユーザが獲得する（例えば、購入する）ことができる何かに相当する可能性がある。システムは、「アイテムレコード」を使用して、アイテムを電子的に記述することができる。他の事例において、タグを用いて記述されているオブジェクトは、情報アイテム（或るテーマを満たすウェブサイトなど）であり、この場合、この情報アイテムに関連付けられた根本的な物理的オブジェクトは存在しない。簡単に言うと、「アイテム」という用語は、本明細書で使用されるように、寛容かつ一般的に解釈されるべきである。
【００１３】
本開示は、以下のセクションを含む。セクションＡは、関連タグを作成し、利用するための例示的なシステムを説明する。セクションＢは、セクションＡのシステムの操作を説明する例示的な手順を説明する。
【００１４】
（Ａ．例示的なシステム）
前置きとして、ロジック、モジュール、または機能という用語は、一般的に、ハードウェア、ソフトウェア、ファームウェア、またはこれらの要素の組み合わせ、あるいはさらに別の何らかの種類の実装を表す。例えば、ソフトウェア実装の場合、ロジック、モジュール、または機能という用語は、１つまたは複数の処理装置（例えば、１つまたは複数のＣＰＵ）において実行されると、指定されたタスクを実行するプログラムコードを表す。プログラムコードは、１つまたは複数のマシン読み取り可能な媒体に格納することができる。
【００１５】
マシン読み取り可能な媒体などの用語は、様々な種類の記憶装置（磁気、光、スタティックなど）を含め、任意の形態の、情報を保持するための任意の種類の媒体を指す。マシン読み取り可能な媒体という用語は、或るポイントから別のポイントに情報を伝送するための様々な有線および/または無線リンクを含め、情報を表している一時的な形態も包含する。
【００１６】
（Ａ．１．例示的な関連タグ付けパラダイム）
関連タグ付けの方法に依拠する例示的なシステムを説明するのに先立って、概説として、このセクションは、タグ付けの方法自体のいくつかの特徴を扱う。
【００１７】
図２は、ユーザが、アイテムＸを特徴付ける関連タグ２０２を作成するシナリオを示す。この例示的な事例において、アイテムＸは、市販のデジタルカメラである。大まかに言うと、関連タグ２０２は、アイテムＸが、仮想アイテムＹなどの１つまたは複数の他のアイテムと、オプションとして或るコンテキストＣ内で、どのように異なるかを記述する。言い換えると、関連タグ２０２は、或るコンテキストＣ内でアイテムＸとアイテムＹの間の相対的な差異を表現する。アイテムＹは、別の製造業者によって製造された別のデジタルカメラに相当する。関連タグ２０２は、関係Ｒに基づいて、アイテムＸをアイテムＹに結び付ける。オプションのコンテキストＣは、ＸとＹの間の識別された関係を修飾する環境（または、条件のセット）を記述する。別の言い方をすると、コンテキストＣは、ＸとＹの間の関係がなぜ成り立つと考えられるかの論拠（ｒｅａｓｏｎｉｎｇ）を示す。
【００１８】
異なる種類のネクサスを使用して、関係Ｒを定義することができる。或る関係は、より優れた（ｂｅｔｔｅｒ−ｔｈａｎ）タイプの関係であり、あるいは、より一般的には、或るアイテムが任意の理由で別のアイテムより上または下に格付けされる、任意の種類の比較関係である。すなわち、タグ２０２は、アイテムＸが或るコンテキストＣ内でアイテムＹより優れていることを言明することができる。代替的には、アイテムＹがコンテキストＣ内でアイテムＸより劣っていることを示すようにアイテムＹにタグ付けをすることによって、同一の効果を達成することができる。この種類の関係Ｒに関して、コンテキストＣは、修飾環境（ｑｕａｌｉｆｙｉｎｇ  ｃｉｒｃｕｍｓｔａｎｃｅ）を定義することができ、その修飾環境において、アイテムＸがアイテムＹより高くまたは低く格付けされる。例えば、１つまたは複数のタグを使用して、アイテムＸは、雨の中で写真を撮影することに関してアイテムＹより優れたカメラであることを伝えることができ、この場合のコンテキストは、雨の中で写真を撮影することに関するカメラの適合性である。１つまたは複数の他のタグを使用して、アイテムＸがアイテムＹより父の日のより良い贈り物となることを伝えることができ、この場合のコンテキストは、父の日の贈り物としてのカメラの適合性である。多くの他の例を提供することができる。或るアイテムは、或るコンテキストにおいて他のアイテムより優れているが、別のコンテキストにおいて他のアイテムより劣っていることがある。
【００１９】
タグ２０２は、これに限定されないが、以下のリストの関係の任意の１つまたは複数を含む他の関係Ｒを表現することができる。言明されないが、これらの関係のいずれも、オプションとして、上述される方法と同様にコンテキストＣと関連するように定義することができる。
・ＸはアイテムＹの優れた代用品である。別の関係Ｒは、アイテムＸがアイテムＹの優れた代用品であることを伝えることができる。
・ＸはアイテムＹの付属品である。別の関係Ｒは、アイテムＸをアイテムＹの付属品として（または、より一般的にはアイテムＹと併せて）使用することができることを伝えることができる。
・ＸはＹを含む、またはＸはＹの一部である。別の関係Ｒは、アイテムＸがアイテムＹ内の一部分であることを伝えることができる。別の関係は、その反対、すなわち、アイテムＸはアイテムＹをメンバとして含む包含的な全体であることを表現する。
・ＸはＹを生じさせる、またはＸはＹによって生じる。別の関係は、アイテムＸが、アイテムＹを生じさせる要因に寄与するイベントであることを伝えることができる。別の関係は、その反対、すなわち、アイテムＸがアイテムＹによって生じることを表現する。
・ＸはＹの反対である。別の関係は、アイテムＸがアイテムＹの反対であることを伝えることができる。別の関係は、その反対、すなわち、アイテムＸがアイテムＹと同一である（または、概ね同一である）ことを表現することができる。
・ＸはＹの総称的な（ｇｅｎｅｒｉｃ）表現である、またはＸはＹの一種（ｓｐｅｃｉｅｓ）である。別の関係は、Ｘが、Ｙを一種として含む総称（ｇｅｎｕｓ）であることを表す。別の関係は、その反対、すなわち、アイテムＸがアイテムＹの一種であることを表現することができる。
【００２０】
さらに、タグ２０２は、アイテムＸとアイテムＹの間のさらに他の種類の関係を表現することができ、上述のリストは網羅的ではない。異なる関係グループが、異なる個々のアプリケーションに特に適していることがある。例えば、オンラインショッピングのアプリケーションでは、少なくとも次の関係が特に適している。すなわち、Ｘは、任意の言明される理由でアイテムＹより上または下に格付けされる、ＸはＹの優れた代用品である、ＸはＹの付属品である、ＸはＹより安価である、ＸはＹより優れた品質である、ＸはＹより新しい、などである。
【００２１】
別の変形では、単一のタグ２０２が、アイテムＸを、アイテムＰ、アイテムＱ、およびアイテムＲなどの複数の他のアイテムと関係付けることができる。代替的に、ユーザは、アイテムＸをアイテムＰ、アイテムＱ、およびアイテムＲと関係付ける複数の関連タグ、例えば、アイテムＸをアイテムＰと関係付ける第１のタグ、アイテムＸをアイテムＱと関係付ける第２のタグ、アイテムＸをアイテムＲと関係付ける第３のタグなどを作成することができる。
【００２２】
システムは、図２に示される関連タグのタイプを使用して、比較分析を実行することができる。実行される比較分析のタイプは、タグによって表現される関係の性質に部分的に依存することがある。
【００２３】
例えば、図３の代表的な事例を考慮されたい。この場合、関連タグは、より優れたタイプの関係を表現し、より一般的には、任意の種類の比較関係を表現する。すなわち、この特定のタイプのタグに関して、ユーザは、このタグを基本アイテムＸに関連付けて、基本アイテムＸが、他の何らかの識別されたアイテムＹより高く格付けされることを示す。このタイプの関連タグの使用により、システムは、最悪から最良まで、または最良から最悪までアイテムを格付けすることができる。この格付けは、「パーティカメラ（ｐａｒｔｙ  ｃａｍｅｒａ）」という特定のコンテキストにおいて、または、より完全に述べると、パーティにおいて写真を撮影することに関するカメラの適合性において実行される。したがって、ユーザが、アイテムＸにアイテムＹより優れているとタグ付けすると、該ユーザは、カメラＸが、パーティで写真を撮影することに関してカメラＹよりも優れていると言っている。
【００２４】
より具体的には、図３の仮想のシナリオにおいて、４名の代表的なユーザが、３つのアイテムを特徴付ける関連タグを作成している。これら３つのアイテムについて、アイテムＸ３０２は、ＡＢＣ社によって製造された静止画用カメラＸを説明するウェブページに関連付けられる。アイテムＹ３０４は、ＬＭＮ社によって製造された静止画用カメラＹを説明するウェブページに関連付けられる。アイテムＺ３０６は、ＥＦＧ社によって製造された静止画用カメラＺを説明するウェブページに関連付けられる。第１のユーザは、タグ３０８を作成して、アイテムＸ３０２に注釈を付けて、アイテムＸ３０２がパーティで写真を撮影することに関して（この修飾コンテキストは、図３の残りの説明において言明されないままにされる）アイテムＹ３０４より優れていることを示す。第２のユーザは、タグ３１０を作成して、アイテムＸ３０２に注釈を付けて、やはりアイテムＸ３０２がアイテムＹ３０４より優れていることを示す。第３のユーザは、最初の２名のユーザと一致しないタグ３１２を作成する。すなわち、第３のユーザは、タグ３１２を作成して、アイテムＹ３０４に注釈を付けて、アイテムＹ３０４がアイテムＸ３０２より優れていることを示す。第４のユーザは、２つのタグを作成する。第１のタグは、アイテムＸ３０２に、アイテムＸ３０２がアイテムＹ３０４より優れているという、最初の２名のユーザと一致している注釈を付ける。第２のタグは、アイテムＸ３０６に注釈を付けて、アイテムＺ３０６がアイテムＸ３０２より優れていることを示す。「より優れた」タイプのタグの代わりに、またはそのようなタグに加えて、ユーザは、或るウェブページが他のウェブページより劣っていることを示すタグを作成することもできる。（より一般的には、或るアイテムが任意の理由で別のアイテムより上または下に格付けされていることに関して、比較を表すことができる。）また、「同じである（ｓａｍｅ  ａｓ）」タグ、「同様である（ｓｉｍｉｌａｒ  ｔｏ）」タグ、および「優れた代用品である（ｇｏｏｄ  ｓｕｂｓｔｉｔｕｔｅ  ｆｏｒ）」タグなどの、他の比較タグも想定される。
【００２５】
図３に示されるタグ付けの振舞いが、多くのユーザによって繰り返されて、関連タグの大量のストアを生成する可能性があることが認識されよう。より具体的には、アイテムを特徴付ける関連タグの使用により、該ストアは、（関連メッシュまたは関連ウェブなどとして特徴付けることも可能な）相互に接続されたアイテムのグラフを形成することができる。このグラフでは、アイテムを、直接的に関係付けることができ、あるいは、大抵は、個々のリンクの連鎖によって間接的に関係付けることができる。
【００２６】
人間のユーザに加えて他のエンティティが、タグを作成し、編集することができる。例えば、任意の種類のデバイス、アプリケーション、システムなどが、１つまたは複数のアイテムにタグで自動的に注釈を付けることができる。例えば、商業関連のアプリケーションは、ユーザのオンラインの振舞い（または他の経験的証拠）に基づいて、アイテムＸがアイテムＹより人気があることを自動的に注記することができる。そのようなオンラインの振舞いは、売上高データ、ショッピングカート選択データ、クリックスルーデータ、および／または他の情報を含むことができる。この情報に基づいて、アプリケーションは、アイテムＸに対応するアイテムレコードに、アイテムＸがアイテムＹより人気があることを示す関連タグを用いて自動的に注釈を付けることができる。他のアプリケーションは、他のタイプの関連タグをアイテムに自動的に適用して、アイテム間の他の種類の関係を表現することができる。
【００２７】
システムは、相互に接続されたアイテムのグラフに基づいて、比較分析を実行して、結論を導き出すことができる。例えば、該システムは、集約されたタグ付け結果に基づいて、アイテムＸはアイテムＹより優れている可能性が高く、アイテムＺはアイテムＸより優れていると決定することができる。したがって、推移論理を通して、システムは、（パーティで写真を撮影することについてのカメラの適合性という特定のコンテキストにおいて）アイテムＺが最良のアイテムであり、アイテムＹが最悪のアイテムであると決定することができる。さらに、システムは、いくつかのタグに関するユーザ間の意見の相違のレベルを表し、および／または結論に達したサンプリングプールのサイズを表す、出力スコアを提供することなどによって、これらの出力結果に信頼レベルを付加することができる。
【００２８】
図３の例では、ユーザのグループが、デジタル静的（静止）画像を主に撮影するカメラに相当するアイテムのコレクションに共同でタグを付けている。しかし、本明細書で説明される方法は、ユーザが行うことが可能な比較の種類を制約しない。この方法は、ユーザがカテゴリーを越えた比較、または比較的特異な比較さえも行うことを明確に許容する。例えば、図３のコンテキストにおいて、ユーザは、静止画用カメラＸが、或るビデオカメラよりも優れたパーティカメラであることを明示するタグを作成することができる。さらに異なる傾向において、ユーザは、パーティで写真を撮影することに関して、人間のプロの写真家がカメラＸより優れていると特異的に示すことができ、該ユーザは、おそらく、カメラＸを用いて自身の写真を撮影するよりも、このプロの写真家を使用した方がより良い結果を受け取るということを意図している可能性がある。
【００２９】
後のサブセクションでより十分に説明されるように、この方法は、ユーザが、カテゴリータグでアイテムに注釈を付けることを可能にすることもできる。この規定に基づいて、該方法は、ユーザが、相互に接続されたアイテムのグラフを選別して、デジタル静止画用カメラなどの或るカテゴリー内の関係を抽出することを可能にすることができる。言い換えると、このことにより、該方法は、或る特定のカテゴリーに制限されたアイテム間で推移分析を実行することができる。
【００３０】
（Ａ．２．例示的なシステム）
図４は、関連タグを作成して利用するための１つの例示的なシステム４００の概略を示す。システム４００において、代表的なデバイス４０２などの複数のデバイスが、結合機構（ｃｏｕｐｌｉｎｇ  ｍｅｃｈａｎｉｓｍ）４０６によってオペレーションセンター（ｏｐｅｒａｔｉｏｎｓ  ｃｅｎｔｅｒ）４０４に結合される。代表的なデバイス４０２に関して以下で提供される説明は、特に明記しない限り他のデバイス（図示せず）にも同様に当てはまる。
【００３１】
システム４００のハードウェア関連の態様から始めると、オペレーションセンター４０４を、１つまたは複数のサーバーコンピュータ（例えば、そのようなコンピュータサーバーの「ファーム」として）として、および関連するデータベースとして実装することができる。オペレーションセンター４０４のアーキテクチャを、デバイス４０２と直接インタフェースをとるフロントエンドコンポーネントと、オフライン分析を実行することができるバックエンドコンポーネントとに分けることができる。一般的に、オペレーションセンター４０４のコンポーネントを、単一のサイトに配置するかまたは複数のサイトに分散し、単一のエンティティまたは複数のエンティティによって管理することができる。
【００３２】
デバイス４０２は、結合機構４０６を介してオペレーションセンター４０４と対話することができる任意の種類の電子ユニットを表す。最も一般的な事例では、デバイス４０２は、パーソナルコンピュータ、ラップトップコンピュータなどのコンピュータデバイスに相当する。しかし、デバイス４０２は、携帯電話、ＰＤＡデバイス、テレビに結合されたセットトップボックス、スタイラスタイプの入力デバイス、任意の種類のウェアラブルコンピュータ、電子ブックのリーダデバイス、パーソナルメディアプレーヤ、ゲームコンソールデバイスなどに相当することもある。いずれにしても、デバイス４０２は、以下の主要部分、すなわち、処理ユニット４０８、プレゼンテーションユニット４１０、および入力ユニット４１２を備えることができる。処理ユニット４０８は、一般的に、情報を処理するための機能（例えば、ソフトウェアロジック、および／または回路など）に相当する。プレゼンテーションユニット４１０は、一般的に、処理された情報を提示するための任意の機構、または機構の組み合わせに相当する。例えば、プレゼンテーションユニット４１０は、ユーザと対話するためのグラフィカルユーザインタフェース４１４を提示することができる。入力ユニット４１２は、一般に、処理ユニット４０８にデータおよび命令を入力するための任意の機構、または機構の組み合わせに相当する。
【００３３】
後述される図１１は、オペレーションセンター４０４または代表的なデバイス４０２の任意の態様を実装するのに使用することできる機器に関する、さらなる詳細を提供する。
【００３４】
結合機構４０６は、任意の種類の通信コンジットまたは通信コンジットの組み合わせに相当することができる。本開示において最も一般的に想起される事例では、結合機構４０６は、インターネットなどのワイドエリアネットワークに相当する。しかし、結合機構４０６は、代替または追加として、イントラネット、ポイントツーポイント結合構成などの、他の種類の通信コンジットを含むこともできる。いずれにしても、結合機構４０６は、任意のプロトコルまたはプロトコルの組み合わせによって管理される、有線リンク、無線リンク、ルータ、リピータ、ゲートウェイ、ネームサーバーなど（図示せず）の任意の組み合わせを含むことができる。
【００３５】
次に、システム４００の機能的態様を、オペレーションセンター４０４から始めて、より詳細に説明する。ある事例では、オペレーションセンター４０４は、単一のエンティティまたは複数のエンティティによって維持される、ウェブサイトまたは複数のウェブサイトを表すことができる。オペレーションセンター４０４は、デバイス４０２からの要求を取り扱い、これに応答して、デバイス４０２において（例えば、デバイス４０２によって実装されるブラウズ機能を使用して）レンダリングすることができる様々なウェブページを提供することができる。
【００３６】
オペレーションセンター４０４は、タグ付けシステム４１６を含むことができる。タグ付けシステム４１６の目的は、１つまたは複数のアイテムストア４１８（言及を容易にするため以降は単数形で示す）に格納されたアイテムに注釈を付けることである。アイテムストア４１８は、オンラインの商業（ｏｎｌｉｎｅ  ｍａｒｃｈａｎｔ）によって保持されるアイテムレコードのデータベースに相当することができる。このコンテキストにおいて、アイテムストア４１８内の各アイテムは、ユーザが、購入、そうでなければ獲得することができるアイテムを表す。一実施形態では、単一のエンティティが、タグ付けシステム４１６およびアイテムストア４１８の両方を管理することができる。代替的には、異なるエンティティが、タグ付けシステム４１６およびアイテムストア４１８をそれぞれ管理することができる。
【００３７】
別のアプリケーションにおいて、アイテムストア４１８内のアイテムは、取引可能な対応物（ｍｅｒｃｈａｎｄｉｓａｂｌｅ  ｃｏｕｎｔｅｒｐａｒｔｓ）を必ずしも有さない任意の種類の情報アイテムに相当することができる。ある事例において、例えば、アイテムストア４１８は、ウェブサイトに関連するアイテムのコレクションを広く表す（したがって、インターネット全体の記憶容量を漠然と表す）ことができる。ユーザは、タグ付けシステム４１６を使用して、ウェブサイトに関連付けられたアイテムに注釈を付けることができる。
【００３８】
さらに他のアプリケーションも可能である。
【００３９】
図４は、タグ付けシステム４１６が、２つの主要なモジュールを含むことができることを示す。概念作成／編集（ＣＣＥ：ｃｏｎｃｅｐｔ  ｃｒｅａｔｉｏｎ  ａｎｄ  ｅｄｉｔｉｎｇ）モジュール４２０により、ユーザが、タグを作成し、潜在的にタグを編集することが可能になる。タグは、補足的な情報でアイテムに注釈を付ける。ＣＣＥモジュール４２０は、これらのタグをタグストア４２２に格納することができる。タグ付けシステム４１６は、概念分析モジュール４２４も含む。概念分析モジュール４２４の目的は、ＣＣＥモジュール４２０によって作成されたタグに基づいて、アイテムに対して分析を実行することである。
【００４０】
最後に、オペレーションセンター４０４によって実装されるものとして上述した１つまたは複数の機能を、代替または追加として、デバイス４０２などのデバイスによってローカルレベルで実行することができることに留意されたい。この特徴を一般的に表すために、図４は、デバイス４０２が、オプションのクライアント側のタグ付け機能４２６を含むことを示す。
【００４１】
（Ａ．３．関連タグを入力するための例示的な技術）
上述されるように、概念作成／編集（ＣＣＥ）モジュール４２０の目的は、関連タグを作成し、場合によっては以前に作成された関連タグを編集することである。この目的のために、ＣＣＥモジュール４２０は、複数の異なるタイプの入力技術を使用することができる。図５Ａ−図５Ｄは、４つの代表的な技術を示すが、図示されていない他の技術を使用することもできる。
【００４２】
図５Ａに示される第１の技術において、ＣＣＥモジュール４２０は、関連タグをフリー形式で入力するための入力フィールド５０４を含むページ５０２を、ユーザに提供することができる。ある例示的なアプリケーションにおいて、ページ５０２は、売りに出されているアイテム、すなわち、ＡＢＣ社によって製造された仮想のカメラＸに関する詳細を示す製品詳細ページに相当することができる。入力フィールド５０４は、「カメラＸ」というアイテムが、別の製造業者によって製造された仮想のカメラＹなどの、他の何らかのアイテムとどのように異なるかを示すタグを、ユーザが入力することを可能にする。入力フィールド５０４は、ユーザが、この関係をフリー形式のテキスト表現として入力することを可能にする。図５Ａに図示される例において、ユーザは、「アイテムＸ＞アイテムＹ（Ｉｔｅｍ  Ｘ＞Ｉｔｅｍ  Ｙ）」という表現をタイプ入力することによって、準数学的な言葉でこの関係を表現することを選択する。ＣＣＥモジュール４２０は、規則、および根拠となる（ｔｅｌｌｔａｌｅ）キーワード（例えば、「より優れている（ｂｅｔｔｅｒ）」、「劣っている（ｗｏｒｓｅ）」、「より高い（ｈｉｇｈｅｒ）」、「より低い（ｌｏｗｅｒ）」、「上（ａｂｏｖｅ）」、「下（ｂｅｌｏｗ）」、「より多い（ｇｒｅａｔｅｒ）」、「より少ない（ｌｅｓｓｅｒ）」など）のデータベースを参照して、所定のパターンの関係表現に対して入力をマッチングしようと試みることによって、ユーザの入力を解釈することができる。例えば、ユーザが、「−は、Ｍｉｎｏｌｔａ  ＸＹＺよりも優れた父の日の贈り物である（ｉｓ  ｂｅｔｔｅｒ  Ｆａｒｔｈｅｒ’ｓ  Ｄａｙ  ｇｉｆｔ  ｔｈａｎ  Ｍｉｎｏｌｔａ  ＸＹＺ）」というタグを入力することを想定されたい。ＣＣＥモジュール４２０はまず、タグが、「より優れている（ｂｅｔｔｅｒ）」というキーワードを含むことを検出することができ、このキーワードは、ユーザが、特徴的な構造を有する比較タイプのタグを作成していることを意味する。次に、ＣＣＥモジュール４２０は、比較関係の主題（または、ターゲット）、すなわち「Ｍｉｎｏｌｔａ  ＸＹＺ」を抽出することができる。つまり、「Ｍｉｎｏｌｔａ  ＸＹＺ」が、根拠となる語、「より（ｔｈａｎ）」の後に続くため、表現の主題である可能性が高い。残りの句（「父の日の贈り物（Ｆａｒｔｈｅｒ’ｓ  Ｄａｙ  ｇｉｆｔ）」）は、表現のコンテキストを修飾するものとして解釈することができる。この解釈のタスクを容易にするために、ＣＣＥモジュール４２０は、ユーザが関係表現を構築することができる方法をユーザに知らせるガイダンスを、ユーザに提供することができる。ＣＣＥモジュール４２０は、ユーザが入力した関係を容易に解釈することができない場合、明確化を求める問い合わせをユーザに行うこともできる。
【００４３】
図５Ｂに示される第２の技術において、ＣＣＥモジュール４２０は、関係表現を入力するためのより構造化された入力フィールド５０８を提供するページ５０６を提供することができる。すなわち、１つの例示的な事例において、ドロップダウンメニュー５１０を提供し、該ドロップダウンメニュー５１０は、これらに限定されないが「より優れている（ｂｅｔｔｅｒ  ｔｈａｎ）」、「より劣っている（ｗｏｒｓｅ  ｔｈａｎ）」、「代用である（ｓｕｂｓｔｉｓｕｔｅ  ｆｏｒ）」、「付属品である（ａｃｃｅｓｓｏｒｙ  ｔｏ）」などから、ユーザが選択することがある様々な関係を識別する。これに代え、またはこれに加えて、関係を、＜、＞、≒などの記号を使用することなど、数学的な言葉で代替的に表現することができる。入力フィールド５０８は、アイテムＸと比較されるべき別のアイテム、この事例ではアイテムＹ、を選択するための別のドロップダウンメニュー５１２を含むことができる。他のアイテムの選択を容易にするために、入力フィールド５０８は、オプションとして、ブラウズ（ｂｒｏｕｓｅ）コマンド５１４または他のコマンドフィールドを含むこともできる。入力フィールド５０８は、ユーザが、アイテムＸが比較されることがあるアイテムのデータベースをブラウズすることを可能にする。データベースの中の或るアイテム（例えば、アイテムＹ）をクリックすることにより、ＣＣＥモジュール４２０が、このアイテムに関連付けられた識別子を、入力フィールド５０８を介して作成されている関係表現の中に挿入する。
【００４４】
図５Ｃに示される第３の技術において、ＣＣＥモジュール４２０は、カメラＸ、カメラＹ、およびカメラＺなどの提示されている複数の製品を示すページ５１６を提供することができる。このページ５１６は、マルチアイテム格付けを実行するための入力フィールド５１８を含む。この事例では、入力フィールド５１８に入力された数字によって、ユーザは、カメラＺが最良であり、カメラＹが最悪であることを示す。このグローバルタイプの入力に応答して、ＣＣＥモジュール４２０は、例えば、アイテムＸがアイテムＹより優れていることを示すアイテムＸに関するタグを作成すること、およびアイテムＸがアイテムＺより劣っていることを示すアイテムＸに関する別のタグを作成することによって、潜在的に複数の関連タグを作成することができる。
【００４５】
図５Ｄに示される第４の技術において、ＣＣＥモジュール４２０は、カメラＸ、カメラＹ、およびカメラＺなどの提示されている複数の製品を示す別のページ５２０を提供することができる。各アイテムは、第１のアイテム「カメラＸ」に関連付けられた「Ｉｓ  Ｂｅｓｔ（最良である）」ボタン５２２などの、そのアイテムに関連付けられた「Ｉｓ  Ｂｅｓｔ」コマンドボタンを有する。ユーザは、識別されるアイテムに関連付けられた「Ｉｓ  Ｂｅｓｔ」コマンドボタンをアクティブにすることによって、いずれのアイテムが最良と考えられるか識別することができる。図５Ｃの事例と比較すると、図５Ｄに示されるページ５２０は、ユーザが、より直接的かつ容易に、いずれのアイテムが最良と考えられるか、またはより一般的には、いずれのアイテムが最高と格付けされるか特定することを可能にする。さらに追加の入力規定を使用して、関連タグを入力することができる。図５Ａ−図５Ｄに示される入力技術は例示的なものにすぎない。
【００４６】
（Ａ．４．関連タグに基づいてアイテムを分析するための例示的な機構）
図６は、概念分析モジュール４２４をより詳細に示す。上述されるように、概念分析モジュール４２４の一目的は、関連タグ（および、提供される場合、次のサブセクションで説明されるカテゴリータグの使用）に基づいて、アイテム間比較（ｃｒｏｓｓ−ｉｔｅｍ  ｃｏｍｐａｒｉｓｏｎ）を実行することである。この目的で、概念分析モジュール４２４は、投票分析（ｖｏｔｉｎｇ  ａｎａｌｙｓｉｓ）モジュール６０２および関係分析モジュール６０４を含む。
【００４７】
投票分析モジュール６０２は、共同環境において複数のユーザによって作成されたタグに関する、集約的かつ統計的な分析を実行する。例えば、７０名のユーザが、アイテムＸがアイテムＹより優れていることを示すタグを作成するが、３０名のユーザが、アイテムＹがアイテムＸより優れていることを示すことを想定されたい。投票分析モジュール６０２は、これらの投票を集計して、例えばＸ＞Ｙという言明を、比率０．７と関係付けられる信頼レベルで表現することができることを示すことによって、アイテムＸがアイテムＹより優れているという評価に信頼のレベルを与えることができる。信頼レベルは、一般的に、ユーザ間の合意のレベルと、結論に達する元となったサンプリングプールのサイズとの両方の関数とすることができる。
【００４８】
関係分析モジュール６０４は、複数のユーザによって確立された関連タグの比較的大きいコレクションを分析することができ、これらのタグは、複数の基本アイテムが、個々の他の複数のアイテムとどのように異なるかを記述する。上述されるように、関連タグの十分に堅固な母集団は、相互に接続されたアイテムの豊かなグラフを作成することができる。関係分析モジュール６０４の目的は、このグラフをマイニングして、このグラフから結論を導き出すことである。アイテムに「より高い」タイプの比較タグをタグ付けする一事例において、関係分析モジュール６０４は、格付けモジュール６０６を使用して、関連タグに基づいて、例えば、最高から最低へ、または最低から最高へアイテムをソートすることができる。
【００４９】
図６は、関係分析モジュール６０４の或る例示的な出力を格付け表示ページ６０８の形式で示す。格付け表示ページ６０８は、アイテムの格付けされたリストを提示する。格付け表示ページ６０８は、オプションとして、結論の信頼性に付随する信頼メトリックを伝えることもできる。
【００５０】
関係分析モジュール６０４の別の例示的な出力が表示ページ６１０である。このページ６１０は、カメラＺなど、取り上げられた製品に関する情報を提供することができる。説明情報の一部として、ページ６１０は、定義された修飾コンテキスト内でカメラＺが他の何らかのカメラ（または複数のカメラ）と比較してどうであるかを伝える情報を提供することができる。例えば、ページ６１０は、ハイパーテキストリンク６１２、または他のタイプのプロンプトを含む。ハイパーテキストリンク６１２は、ユーザが、「ビーチに最良のカメラ（ｔｈｅ  ｂｅｓｔ  ｃａｍｅｒａ  ｆｏｒ  ｂｅａｃｈ）」を明らかにする情報にアクセスすることを可能にする。関係分析モジュール６０４は、カメラＺがビーチの写真撮影の適合性に関して１名または複数名のユーザによって以前に格付けされたことを検出すると（さらに、カメラＺがこの用途に最良のカメラであると一般には考えられていないことを検出すると）、この特定の種類のリンク６１２を提示することができる。リンク６１２によって、商人は、より高価な商品を売る機会を提供することができる。ある状況において、カメラＺが最良と判断される事態が起こると、ページ６１０は、ユーザにこの最上位の格付けのステータスを知らせることができる。
【００５１】
示されていないが、ページ６１０は、カテゴリー間比較（ｃｒｏｓｓ−ｃａｔｅｇｏｒｙ  ｃｏｍｐａｒｉｓｏｎ）のためのポータルを提供することもできる。例えば、ユーザに他のカメラを調べるように求める代わりに、ページ６１０は、「私に父の日のより良い贈り物を教えてください」と書かれたリンクを提供することなどによって、製品中立のトピックへのリンクを提示することができる。このリンクは、父の日の良い贈り物となるという目的で、カメラＺより優れていると他のユーザが以前に格付けした他の１つまたは複数のアイテムを明らかにすることができる。これらの他のアイテムは、他のカメラに限定されない。この場合も、関係分析モジュール６０４は、カメラＺが、父の日の贈り物の比較を行うというコンテキストにおいて他の１名または複数名のユーザによって以前に識別されたという事実のため、リンク情報に関して父の日のテーマを選択することができる。
【００５２】
関係分析モジュール６０４の出力を伝える多くの代替的な方法が可能であることを、当業者は認識されよう。
【００５３】
（Ａ．５．カテゴリータグおよび事実タグを含むタグデータ構造）
図４のタグ付けシステム４１６は、独立したユーティリティを有する関連タグを作成することができる。これは、上述されるように、タグ付けシステム４２０が、関連タグだけの分析から有意義な結論を導き出すことができるからである。別の実装において、タグ付けシステム４１６は、ユーザが他のタイプのタグを作成することを可能にすることができる。さらに、タグ付けシステム４１６は、異なる種類のタグをデータ構造に編成することができる。データ構造の各インスタンスは、本明細書において概念オブジェクトと呼ばれる。説明されるように、タグ付けシステム４１６は、他の種類のタグに加え、関連タグを含む概念オブジェクトの分析に基づいて、より微妙な違いのある結論を形成することができる。
【００５４】
図７は、１つのそのような概念オブジェクト７０２を示す。概念オブジェクト７０２は、概念名フィールド７０４、フリーテキスト記述フィールド７０６、およびタグ付けデータ構造７０８を含むことができる。オプションの概念名フィールド７０４は、概念を識別する目的で概念の一意の名前を含む。オプションのフリーテキスト記述フィールド７０６は、ユーザが、概念の説明、関連するアイテム、またはその両方を入力することを可能にする。
【００５５】
タグ付けデータ構造７０８は、１つまたは複数の第１のタグ、つまり、カテゴリータグ７１０（１）−７１０（Ｋ）、および第２のタグ、つまり、事実（ｆａｃｔ）タグ７１２（１）−７１２（Ｊ）の１つまたは複数のコレクションを含む複数のタグを関連付ける。カテゴリータグ７１０（１）−７１０（Ｋ）は、一般的または客観的なカテゴリーの観点でアイテムを特徴付ける。例えば、アイテムが、オリンパス株式会社によって販売されるＯｌｙｍｐｕｓ（登録商標）ブランドのデジタルカメラであると想定されたい。この例において、カテゴリータグは「デジタルカメラ」である可能性がある。
【００５６】
事実タグの第１のグループ７１２（１）−７１２（Ｊ）は、概念に関連付けられ、この概念によって表されるアイテムについての事実を提供する。各カテゴリータグ７１０（１）ないし７１０（Ｋ）について、アイテムの顕著な特性を記述する０または１つ以上の事実タグ７１２のセットが存在する。例えば、アイテムは、組み込まれた懐中電灯およびコンパスを有するキャンピングツールであると想定されたい。該アイテムは、「懐中電灯」および「コンパス」などの、２つのカテゴリータグでタグ付けされることが可能である。このアイテムの属性を記述する事実タグは、このアイテムの懐中電灯という態様に関係する事実タグの或るセットと、このアイテムのコンパスという態様に関係する別の事実セットとを含む可能性がある。したがって、カテゴリータグ「懐中電灯」に関連付けられると、この概念は、名前：値が「必要とされるバッテリ：４ＡＡ」である、このアイテムに関する事実タグを含むことがある。カテゴリータグ「コンパス」に関してこの概念は、名前：値が「磁気感度：高」である、このアイテムに関する事実タグを含むことがある。
【００５７】
事実タグ７１２（１）−７１２（Ｊ）の各々は、アイテムの属性を識別する名前部分７１４と、名前部分によって識別される属性の１つまたは複数の値を与える、対応する１つまたは複数の値部分７１６とを有する。違う言い方をすると、各事実タグは、名前：値のペアを有し、各名前に対して１つ以上の値があってもよい。さらに、名前部分７１４および値部分７１６もタグである。
【００５８】
したがって、各事実タグは、１つの名前タグと、０または１つ以上の値タグとのコレクションから構成される。図７において、第１の事実タグ７１２（１）は、１つの名前タグ７１４（１）と複数の値タグ７１６（１Ａ）−７１６（１Ｙ）とから構成される。例えば、デジタルカメラの例では、名前タグを「色」とし、値タグを「シルバー」、「黒」、および「白」とすることができる。第１の事実タグ７１２（１）は、名前タグ７１４（１）に関連付けられた１つまたは複数の値タグ７１６（１Ａ）−７１６（１Ｙ）が存在する、複数パートの（ｍｕｌｔｉ−ｐａｒｔ）事実タグの例である。第２の事実タグ７１２（２）は、１つの名前タグ７１４（２）と１つの値タグ７１６（２Ａ）とから構成される。次に、名前タグを「重量」とし、値タグを「４．５２オンス（１２８グラム）」とすることができる。第２の事実タグ７１２（２）も、少なくとも１つの名前タグ７１４（２）と少なくとも１つの値タグ７１６（２Ａ）とを有することにおいて、複数パートの事実タグを表すものである。第３の事実タグ７１２（３）は、値タグがなく、１つの名前タグ７１４（３）のみで構成される。この事例において、名前タグを「耐候性」とすることができ、名前タグの存在は、アイテムが耐候性であることを示唆し、名前タグの欠如は、アイテムが耐候性ではないことを示唆する。この第３の事実は、名前タグ７１４（３）に関連付けられた値タグが存在しない単一の事実タグを表すものである。時間が経つと、共同で定義されたタグは、カタログの中で提供されるアイテムを分類するフォークソロジーを形成する。
【００５９】
ある見地から、タグ付け構造は、カテゴリータグが、アイテムが何であるかを定義し、事実タグが、カテゴリータグのコンテキストにおいて、そのアイテムの属性または特徴を、カテゴリータグによって特徴付けられるものとして定義するという寸法が考慮されることがある。さらに、属性タグまたは名前タグは、構造を介して、１つまたは複数の値タグに関連付けられる。タグ付け構造はそれにより、製品の特徴の調査の際にユーザに多数の有用な機能を使用可能にする項目の間の関係を提供する。カテゴリータグまたは事実タグの間、または名前タグと値タグの間の区別が存在しない、以前のフラットなタグアプローチとは異なり、フラットでないタグ付け構造７０８は、ユーザが、複数のアイテムをユーザによって選択されたカテゴリーに従って容易に比較することを可能にする。フラットなタグアプローチでは、タグ間の関係の性質を記述する方法が存在しない。
【００６０】
例えば、ユーザが、アイテムカタログの中のすべての「デジタルカメラ」を比較することを望むと想定されたい。ユーザが単にこのカテゴリータグを選択し、このカテゴリータグでタグ付けされたすべてのアイテムが探索されると、次いで「デジタルカメラ」というカテゴリータグに関連付けられた「色」および「重量」という関係する事実タグが、好都合な観察のために容易に配列される。例えば、名前タグは水平に整列され、関連する値タグは、対応する名前タグの下に垂直にグループ化される。これに対して、デジタルカメラ、色、および重量の間の区別がないフラットなタグ構造では、システムが、「デジタルカメラ」の選択において属性をどのように整列させるべきかを理解する方法は存在しない。さらに、フラットなタグアプローチでは名前：値のペアが存在しないため、比較のためのコンテキストが存在しない。フラットなタグアプローチでは「色」に関連付けられた値が存在しないため、システムは、「色」を比較する方法に関するコンテキストを有さない。
【００６１】
アイテムの比較をさらに容易にするために、タグ付け構造７０８は、概念オブジェクト７０２によって表されるアイテムに関連付けられた関係事実（ｒｅｌａｔｉｏｎａｌ  ｆａｃｔ）を表現する、特別のタイプの事実タグ７２０（１）−７２０（Ｌ）のコレクション７１８を含むことができる。上述されるように、各関連タグは、或るオプションのコンテキストＣにおいて、基本アイテムＸを別のアイテムＹと関係付ける。関係事実タグ７２０（１）−７２０（Ｌ）は、したがって、アイテムが互いにどのように関係するかを明確に識別する、ユーザからの方向付けされた入力（ｄｉｒｅｃｔｅｄ  ｉｎｐｕｔ）を提供する。
【００６２】
図７は、関係事実タグ７２０（１）−７２０（Ｌ）を構造化する１つの例示的な方法を示す。他の事実タグと同様に、関係事実タグ７２０は、名前タグ７２２（１）−７２２（Ｐ）、および関連する値タグ７２４（１）−７２４（Ｓ）を含む。関係事実タグの事例では、名前タグ７２２は、関係Ｒの性質を表現し、オプションとして、関係を修飾するコンテキストＣを表現する。値タグ（ターゲットタグとも呼ばれる）７２４が、基本アイテムＸが比較されているアイテムＹを表現する。例えば、「カメラＸは、カメラＹより優れたビーチ用のカメラである」という言明を考慮されたい。この関係の名前タグ７２２は、「は、より優れたビーチ用のカメラである」に対応する。この関係の値タグ７２４は、「カメラＹ」に対応する。概念オブジェクト７０２によって表される基本アイテムは、異なるコンテキストにおいて他の多くのアイテムと比較されることが可能であるので、概念オブジェクト７０２は、複数の関係タイプの事実タグを含むことができる。
【００６３】
タグ付けシステム４１６は、概念オブジェクト７０２によって提供される、強化された情報を活用して、タグ付けされたアイテムのコレクションに関する、より微妙な違いのある結論を提供することができる。例えば、タグ付けシステム４１６は、相互に接続されたアイテムのグラフを選別して、或るカテゴリー（または複数の指定されたカテゴリー）に属するアイテムだけを抽出することができる。タグ付けシステム４１６は、次いで、１つまたは複数の指定されたカテゴリー内に局所化された推移分析を実行することができる。
【００６４】
（Ａ．６．共同（Ｗｉｋｉ）環境への適用）
図８は、共同環境への図４のシステム４００の適用を示す。Ｗｉｋｉ環境としても知られる１つの共同タグ付け環境において、ユーザは、項目（ａｒｔｉｃｌｅ）の作成に共同で寄与する。項目は、記述タグを含むことが可能である。
【００６５】
そのような共同環境の１つの具体的なアプリケーションを示すために、オペレーションセンター４０４は、１つまたは複数のアイテムへのアクセスを可能にする商人ウェブサイトを表すことができる。このコンテキストにおいて、アイテムは、商店が売りに出すことを希望する任意の物、または商人のウェブサイトを使用する他の人々が、売りに出すことを希望する任意の物を表すことが可能である。アイテムは、製品、サービス、または他の何らかのタイプの販売可能なユニットを含むことができる。
【００６６】
オペレーションセンター４０４は、取引可能なアイテムを記述するアイテムレコードのアイテムストア４１８（または複数のアイテムストア）を保持することができる。アイテムデータベース４１８内のアイテムレコードは、直接または間接的に、デバイス４０２によってアクセス可能であることがある。各アイテムレコードは、ウェブサイト上で売りに出されている関連するアイテムについての情報を含む。例えば、本または音楽ＣＤなどの製品に関して、アイテムレコードは、説明、その製品のイメージ、著者名／アーティスト名、発行データ、価格設定、出荷情報などを含むことができる。他のタイプのアイテムに関して、アイテムレコードは、それらのアイテムに適切な別の情報を含むことができる。
【００６７】
オペレーションセンター４０４は、アイテムマネージャ８０２を含むことができる。アイテムマネージャ８０２は、アイテムストア４１８内のアイテムレコードへのアクセス、および該アイテムレコードの管理を容易にする。つまり、アイテムマネージャ８０２は、ウェブサイト運営者が、アイテムストア４１８内にアイテムレコードを追加、または削除することを可能にし、一般的に、オペレーションセンター４０４によって提供されるアイテムの制御を維持することを可能にする。ユーザが、オペレーションセンター４０４から或るアイテムに関する情報を要求すると、１つまたは複数のサーバー（図示せず）が、アイテムストア４１８からアイテム情報を取り出し、該情報を含むウェブページを、要求しているユーザのコンピューティングデバイスに提供する。アイテムストア４１８は、そのような要求の前に予め生成されて格納されている静的なウェブページを含むことがあり、または、代替的に、そのような要求に応答して生成される動的なウェブページを投入するのに使用されるデータを格納することがある。
【００６８】
オペレーションセンター４０４は、アイテムエンサイクロペディア（ｉｔｅｍ  ｅｎｃｙｃｌｏｐｅｄｉａ）８０４をホストすることもできる。アイテムエンサイクロペディア８０４は、アイテムストア４１８の中で表現される様々なアイテムに関する豊富で信頼できる情報を提供する。より具体的には、アイテムエンサイクロペディア８０４は、アイテムについての項目の作成を容易にする。これらの項目は、アイテムについて知り該アイテムを購入するかどうかを決心する際にユーザにとって有用な任意の情報を含むことができる。そのような情報は、アイテムの説明、特徴および規格データ、アイテムのイメージ、意図される用途、製造業者または販売業者の身元、付属品などを含むことができる。これらの項目は、オペレーションセンター４０４によってユーザに提供され、ユーザがアイテムをよりよく理解することを助けることができる。
【００６９】
共同環境において、エンサイクロペディアの項目は、コミュニティによって作成され、任意の数のユーザが、アイテムエンサイクロペディア８０４に含まれるコンテンツを追加、変更、または削除することができる。したがって、個々のユーザは、アイテムストア４１８に提供されている新たなアイテムを記述する新たな項目を作成することができ、他のユーザによって作られた項目を編集することもできる。これらの編集をログに記録して監視し、悪意のあるエントリを防止することができる。
【００７０】
アイテムエンサイクロペディア８０４は、ナビゲーション、検索、およびアイテムの比較を助けるタグを用いてアイテムのタグ付けもサポートする。これらのタグを、アイテムの製造業者または供給業者、ウェブサイト運営者、および／またはコミュニティの任意のメンバによって割り当てることができる。以上に関連して、アイテムエンサイクロペディア８０４は、概念作成／編集（ＣＣＥ）モジュール４２０および概念分析モジュール４２４を含む上述のタグ付けシステム４１６を含むことができる。
【００７１】
図８に示されるタグ付けシステム４１６のバージョンを、特に、カテゴリータグおよび事実タグ（関係事実タグを含む）を含め、図７で説明したタイプの概念オブジェクトを処理するように構成することができる。このコンテキストにおいて、ユーザ定義されたタグは、概念オブジェクト７０２の一部としてタグ付けデータ構造７０８に追加される。複数のそのような概念オブジェクトが、概念データベース８０６に格納される。アイテムがタグ付けされると、タグ付けシステム４１６は、カテゴリータグおよび事実タグ（関係事実タグを含む）を使用して、アイテムを探し、編成し、比較することができる。概念データベース８０６は、タグのみを（構成要素としてタグを含むデータ構造ではなく）格納する、図４のタグストア４２２の強化された対応物を表すことに留意されたい。
【００７２】
図８に示される共同環境において、ＣＣＥモジュール４２０は、ユーザが、アイテムストア４１８内で表されるアイテムを説明する項目を作成し、編集することを可能にする。ＣＣＥモジュール４２０は、ユーザが、カテゴリータグおよび事実タグ（関係事実タグを含む）でアイテムに注釈を付けることも可能にする。このようにして、ＣＣＥモジュール４２０は、図７に示される例示的な概念オブジェクト７０２によって表現されるような、項目、タグ、およびその他のアイテムメタデータを含む概念オブジェクトを生成する。
【００７３】
アイテムエンサイクロペディア８０４は、上述の概念分析モジュール４２４も含む。概念分析モジュール４２４は、カテゴリータグおよび事実タグ（関係事実タグを含む）に基づいて、アイテムの比較を容易にする。例えば、ユーザが、同様にタグ付けされたアイテム（例えば、カテゴリータグ「デジタルカメラ」で注釈を付けられたアイテム）を比較したい場合、概念分析モジュール４２４は、概念データベース８０６内で共通のカテゴリータグを有する概念を探し出すことができる。このことは、つまり、同様の特徴を有するアイテムを集約し、ユーザがこれらのアイテムの特性を比較する便利な機構を提供することによって、ユーザが製品間の比較を行うことを可能にする。
【００７４】
上述のように、カテゴリータグと関係事実タグの特定の組み合わせは、概念分析モジュール４２４によって提供される比較を微調整することができる。例えば、概念分析モジュール４２４は、ユーザが、比較的狭いテーマのコンテキストにおいて、より優れたタイプの比較を行うことを可能にすることができる。例えば、ユーザのグループが、多くの異なる種類のカメラを、ビーチで写真を撮影するのに適しているものとして格付けする関連タグを作成したと想定されたい。また、多くのユーザが、或るクラスのカメラに、「ビデオカメラ」というカテゴリータグで注釈を付けたと想定されたい。カテゴリータグと関係事実タグの組み合わせに基づいて、概念分析モジュール４２４は、ビーチで写真を撮影することの適合性に従って格付けされたビデオカメラの、選別されたリストを形成することができる。
【００７５】
アイテムエンサイクロペディア８０４は、履歴ログ８０８を含むこともできる。このモジュール８０８の目的は、ユーザのコミュニティによって入力された変更を追跡することである。履歴ログ８０８の概要をユーザに提示することができる。
【００７６】
アイテムエンサイクロペディア８０４は、検討フレームワーク８１０を含むこともできる。このモジュール８１０は、アイテムに関係するユーザの検討を容易にする。例えば、検討フレームワーク８１０は、ユーザが、アイテムに関するコメントを入力し、掲示することを可能にする。フレームワーク８１０は、次いで、ユーザに提示するためにコメントの書式を整える（ｆｏｒｍａｔ）。フレームワーク８１０は、他のユーザがそのコメントに対するフィードバックを提供する機構も提供する。
【００７７】
アイテムエンサイクロペディア８０４は、さらに他のタイプのモジュール（図８に図示せず）を含むことができる。
【００７８】
図９は、アイテムエンサイクロペディア４２０が項目をユーザに表示するのに使用することができる項目ページ（ａｒｔｉｃｌｅ  ｐａｇｅ）９０２を示し、項目は、関連する記述タグを有する。項目ページ９０２は、オプションとして、カメラの画像とともに取り上げられているアイテムの名前（すなわち、「Ｏｌｙｍｐｕｓ（登録商標）  Ｓｔｙｌｕｓ  ８００  Ｄｉｇｉｔａｌ」）を含む。説明がアイテム名および画像の直下に現れるが、他のレイアウトを使用することができる。説明は、製造業者によって提供される元の説明であっても、ウェブサイト運営者によって作られた説明であっても、コミュニティの中のユーザによって与えられた情報であってもよい。さらに、説明は、コミュニティの中の複数のユーザによって作成された数回の対話を表してもよい。
【００７９】
項目ページ９０２は、説明の下に位置するカテゴリーセクション９０４および事実セクション９０６も有する。カテゴリーセクション９０４は、アイテムが属する可能性がある１つまたは複数のカテゴリータグを列挙する。この例では、アイテムは、「デジタルカメラ」というカテゴリーに属し、選択可能なカテゴリータグによってページ上に表される（下線を用いて示されているが、実際には、タグは、色を変えるなど他の技術を使用して表すこともできる）。カテゴリータグのコンテンツは、概念オブジェクト７０２のタグ付け構造７０８におけるカテゴリータグフィールド７１０（１）−７１０（Ｋ）（図７を参照されたい）によって提供される。
【００８０】
アイテムカテゴリー内に保持される他のアイテムは、１つ以上のカテゴリータグを有することができることに留意されたい。例えば、「ＸＹＺラジオ目覚まし時計」という名称のアイテムは、「ラジオ」というカテゴリーに関して１つのタグ、および「目覚まし時計」というカテゴリーに関して１つのタグを含め、複数のカテゴリータグを有することができる。
【００８１】
また、カテゴリーセクション９０４は、「比較（ｃｏｍｐａｒｅ）」プロンプトを含むことに留意されたい。このプロンプトは、ユーザが、デジタルカメラという指定されたカテゴリー内で比較を行うことを可能にする。この比較のリンクが選択されると、アイテムエンサイクロペディア８０４は、「デジタルカメラ（ｄｉｇｉｔａｌ  ｃａｍｅｒａ）」というカテゴリータグでタグ付けされたアイテムカテゴリー内の他のアイテムを探し出し、結果をユーザに提示する。
【００８２】
事実セクション９０６は、そのアイテムのカテゴリータグに関連付けられた１つまたは複数の事実タグを含む。各事実タグは、アイテムの属性を識別する名前部分と、名前部分によって識別される属性の１つまたは複数の値を提供する１つまたは複数の対応する値部分とを有する。例えば、図９において、第１の事実タグは、デジタルカメラの解像度属性を識別する「解像度（Ｒｅｓｏｌｕｔｉｏｎ）」という名前部分と、「解像度」と名付けられた解像度属性の値を与える「８．０メガピクセル（８．０  Ｍｅｇａｐｉｘｅｌ）」という値部分とを有する。
【００８３】
項目ページ９０２は、関係セクション９０８を含むこともできる。関係セクション９０２は、特別なタイプの事実タグを構成する、ユーザによって入力された関連タグから集められた情報を表示することができる。関係セクション９０８は、他の製品に対するＯｌｙｍｐｕｓ（登録商標）カメラの関係を様々な方法で表示することができる。例えば、関係セクション９０８は、最良から最悪へ、または最悪から最良へなどの順序で（または、より一般的には、最高の格付けから最低の格付けへ、または最低の格付けから最高の格付けへ）カメラのリストを表示することができる。セクション９０８は、代替的に、数学的な比較記号（例えば、「＜」および「＞」）を使用して関係を伝えることなどができる。図６のページ６０８は、アイテムのユーザ定義された関係を伝える一例示的かつ非限定的な方法を示す。
【００８４】
ユーザは、「編集（Ｅｄｉｔ）」プロンプト９１０をアクティブにすることによって項目ページ９０２の様々な態様を作成して、編集することができる。このアクションは、図１０に示される編集ページ１００２をアクティブにする。編集ページ１００２は、カテゴリータグを作成して編集するための第１のセクション１００４と、事実タグを作成して編集するための第２のセクション１００６とを含む。第２のセクション１００６において、ユーザは、アイテムの特性を表現する非関係タイプの事実タグ（例えば、「解像度：８．０メガピクセル」）を入力し、編集することができる。第２のセクション１００６は、ユーザが、関係タイプの事実タグ（例えば、「は、Ｍｉｎｏｌｔａ  １２３よりも優れたビーチ用のカメラである」）を入力して、編集することも可能にする。
【００８５】
編集ページ１００２は、オプションとして、関連タグを作成および編集するための特別なツールを提供する第３のセクション１００８を含むこともできる。第３のセクション１００８は、図５Ａ−図５Ｄに示される任意の編集ツール、またはさらに別の何らかのタイプの編集機構を呼び出すことができる。
【００８６】
図示されていないが、他の編集機能を使用して、アイテムのテキスト説明を提供する項目ページ９０２の一部などの、タグ以外のページ９０２の一部を編集することもできる。
【００８７】
（Ａ．７．例示的な処理機能）
図１１は、ユーザデバイス４０２、オペレーションセンター４０４、オペレーションセンター４０４の任意のコンポーネントなど図４に示されるシステム４００の様々な態様を実装するのに使用することができる、例示的な処理機能１１００を示す。処理機能１１００は、これらに限定されないが、パーソナルコンピュータ、ラップトップコンピュータ、サーバータイプのコンピュータ、ブックリーダタイプのデバイス、ポータブルメディアプレーヤデバイス、ＰＤＡデバイス、携帯電話デバイス、タブレットタイプの入力デバイス、任意の種類のウェアラブルデバイス、ゲームコンソールデバイス、セットトップボックスデバイスなどの任意の１つまたは複数を表すことができる。説明を容易にするために、処理機能１１００は、代表的なユーザデバイス４０２を特に実装するものとして後段で説明されるが、前述されるように、汎用処理機能１１００も、オペレーションセンター４０４において展開することができるサーバータイプのコンピュータのアーキテクチャを示す。
【００８８】
このローカルデバイスのコンテキストにおいて、処理ユニット４０８は、１つまたは複数の処理コンポーネント１１０２（ＣＰＵ、ニューラルネットワークなど）、ＲＡＭ１１０４、ＲＯＭ１１０６、メディアコンポーネント１１０８（ハードドライブ、ＤＶＤドライブなど）、ネットワークインタフェース１１１０（電話またはケーブルモデム、ブロードバンド接続機構など）、ならびに入力デバイスおよび出力デバイスと対話するためのＩ／Ｏインタフェース１１１２を備えることができる。１つまたは複数のバス１１１４によって、上述のコンポーネントが結合される。
【００８９】
出力デバイスは、グラフィカルユーザインタフェース４１４を提示するプレゼンテーションユニット４１０を含むことができる。入力デバイス４１２は、キーボード、マウス入力デバイス、トラックボール入力デバイス、ジョイスティック入力デバイス、タッチセンシティブスクリーンなどの任意の１つまたは複数を含むことができる。
【００９０】
処理機能１１００を使用してユーザデバイス４０２を実装する事例において、デバイス４０２の様々な機能を、図１１に示される任意のストレージユニットまたはストレージユニットの組み合わせの中に存在するマシン読み取り可能な命令として実装することができ、プロセッサ１１０２は、これらの命令を実行して、タグの作成および利用に関係する所望のオペレーションを引き起こすことができる。同様に、処理機能１１００を使用してオペレーションセンター４０４またはこれの何らかのコンポーネントを実装する事例において、センター４０４の様々な機能を、図１１に示される任意のストレージユニットまたはストレージユニットの組み合わせの中に存在するマシン読み取り可能な命令として実装することができ、プロセッサ１１０２は、これらの命令を実行して、タグの作成および利用に関係する所望のオペレーションを引き起こすことができる。
【００９１】
（Ｂ．例示的な手順）
図１２および図１３は、図４のシステム４００のオペレーションをフローチャートの形式で示す。説明を容易にするために、いくつかのオペレーションを、或る順序で実行される別々のブロックを形成するものとして説明する。そのような実装は、例示であり限定的なものではない。本明細書で説明されるいくつかのブロックを、一緒にまとめて単一のオペレーションで実行することができ、いくつかのブロックを、本開示で説明される実施例で採用される順序とは異なる順序で実行することができる。フローチャートに示されるブロックを、ソフトウェア、ファームウェア、ハードウェア、手動の処理によって、またはこれらの要素の組み合わせによって実装することができる。
【００９２】
フローチャートにおいて説明される機能は、セクションＡで既に説明されているので、セクションＢは、主にそれらの機能のレビューの役割をする。
【００９３】
（Ｂ．１．関連タグの作成）
図１２は、関連タグを作成するための手順１２００を示す。
【００９４】
ブロック１２０２で、システム４００は、オプションとして、関連タグを入力するようにユーザを促すことができる。例えば、ユーザが、アイテムＸに関する特定のアイテムページを見ているとき、システム４００は、ユーザに、アイテムＸがオプションのコンテキストＣ内の別のアイテム、例えば、アイテムＹとどのように異なるか指定するように求めることがある。
【００９５】
ブロック１２０４で、システム４００は、関連タグのユーザの入力を受信する。ユーザは、図５Ａ−図５Ｄに示される方法のいずれか、またはさらに別の何らかの方法で関連タグを指定することができる。
【００９６】
ブロック１２０６で、システム４００は、入力された関連タグをタグストア４２２に、または概念ストア８０６の中に格納された概念オブジェクト７０２の中のフィールドとして格納する。
【００９７】
（Ｂ．２．関連タグの分析）
図１３は、手続き１２００を介して入力された関連タグに基づいて分析を実行するための手順１３００を示す。
【００９８】
ブロック１３０２で、システム４００は、オプションとして、タグ分析オペレーションのユーザによる呼び出しを受信する。例えば、ユーザは、図９に示される比較リンク９０８をクリックすることによって、このオペレーションを開始することができる。
【００９９】
ブロック１３０４で、システム４００は、アイテムに関連付けられた関連タグに少なくとも部分的に基づいて、アイテムを分析する。システム４００は、アイテム間比較を実行する際に、カテゴリータグおよび非関係事実タグに依拠することもできる。
【０１００】
ブロック１３０６で、システム４００は、例えば、１つまたは複数のグラフィカルユーザインタフェースを提示する形式で、その分析の結果をユーザに出力する。
【０１０１】
締めくくりとして、本発明を、構造的特徴および／または方法上のアクトに特有の言葉で説明してきたが、添付の特許請求の範囲において定義される本発明は、説明した特定の特徴またはアクトに必ずしも限定されないことを理解されたい。むしろ、これらの特定の特徴およびアクトは、特許請求される発明を実装する例示的な形態として開示される。
【図１】
0005550765.tif 000002
【図２】
0005550765.tif 000003
【図３】
0005550765.tif 000004
【図４】
0005550765.tif 000005
【図５Ａ】
0005550765.tif 000006
【図５Ｂ】
0005550765.tif 000007
【図５Ｃ】
0005550765.tif 000008
【図５Ｄ】
0005550765.tif 000009
【図６】
0005550765.tif 000010
【図７】
0005550765.tif 000011
【図８】
0005550765.tif 000012
【図９】
0005550765.tif 000013
【図１０】
0005550765.tif 000014
【図１１】
0005550765.tif 000015
【図１２】
0005550765.tif 000016
【図１３】
0005550765.tif 000017